(57)【要約】【課題】僅かな操作力で液体を噴出させることができるトリガー式液体噴出器を提案する。【解決手段】操作レバー（１）を繰返し牽曳して容器内の液体を吸引、加圧するポンプ（２）と、このポンプ（２）によって加圧された内容物を噴射ノズル（ｎ）に向けて送給する送給経路（３ａ）を有するボディ（３）と、このボディ（３）の送給経路（３ａ）の出側端で往復移動可能に弾性支持され規定圧力を超える開動作で該噴射ノズル（ｎ）を通して液体を外界に向けて噴出させる弁体（４）とを備えたトリガー式液体噴出器において、前記送給経路（３ａ）に、その入側端から出側端に沿って延びる少なくとも１本の細溝を有し該送給経路（３ａ）の断面積を小さくして液体の送給量を少なくするスペーサ（５）を配置する。【選択図】図１
2005296701.tif 000002
【特許請求の範囲】
【請求項１】
操作レバーを繰返し牽曳して容器内の液体を吸引、加圧するポンプと、このポンプによって加圧された液体を噴射ノズルに向けて送給する送給経路を有するボディと、このボディの送給経路の出側端で往復移動可能に弾性支持され規定圧力を超える開放動作で該噴射ノズルを通して液体を外界に向けて噴出させる弁体とを備えたトリガー式液体噴出器であって、
前記送給経路に、その入側端から出側端に沿って延びる少なくとも１本の細溝を有し該送給経路の断面積を小さくして液体の送給量を少なくするスペーサを配置したことを特徴とするトリガー式液体噴出器。
【請求項２】
前記スペーサは、前記送給経路内に位置するシャフトと、該送給経路の出側端でシャフトの端部に一体連結し前記弁体を移動可能に保持するガイドからなり、
前記ボディに、前記ガイドを弁体とともに内側に納めるとともに、噴射ノズルをその先端で支持する連結部と、この連結部の外側に設けられ噴射ノズルの開口部又は凸部に嵌まり込んで噴射ノズルの抜けを防止する凸部又は開口を有する請求項１記載のトリガー式液体噴出器。
【請求項３】
前記スペーサは、前記送給経路内に位置するシャフトと、該送給経路の出側端でシャフトの端部に一体連結し前記弁体を移動可能に保持するガイドからなり、
前記ガイドに、ガイドの本体部分を弁体とともにその内側に納めて噴射ノズルをその先端で支持する前側連結部と、この前側連結部と一体になり噴射ノズルを前側連結部とともにボディの外側にて抜け止め係止する後側連結部とを設けた記載のトリガー式液体噴出器。
【請求項４】
前記弁体にその作動に合わせてその移動空間内の空気を噴射ノズル側に向けて排出する貫通孔を設けた請求項１又は２記載のトリガー式液体噴出器。
【請求項５】
前記ガイドに前記弁体の作動に合わせてその移動空間内の空気をボディ側に向けて排出する貫通孔を設けた請求項３記載のトリガー式液体噴出器。
【請求項６】
噴射ノズルの後端部に突き当たる先端を有しボディの全体を覆い隠すシュラウドを有する請求項１〜５の何れかに記載のトリガー式液体噴出器。
【請求項７】
噴射ノズルの先端を残して該噴射ノズル及びボディを覆い隠すシュラウドを有する請求項１〜５の何れかに記載のトリガー式液体噴出器。
【発明の詳細な説明】
【技術分野】
【０００１】
本発明は、噴射ノズルの背面に規定の圧力でもって開閉する弁体を備えた蓄圧タイプのトリガー式液体噴出器に関し、内部のエアーを排出する初期プライミングが簡単にすみ、小さな力による操作レバーの牽曳でスムーズに液体を噴出させようとするものである。
【背景技術】
【０００２】
黴取り剤や洗剤、衣料用糊剤、住居用ワックス、整髪剤、芳香剤等を入れた容器に装着され、容器内の内容物を操作レバーの牽曳によって適宜噴出させることができるトリガー式噴出器は、噴射ノズルを取り付けたボディに、液体の吸引、加圧、圧送を司るポンプ機構が組み込まれており、操作レバーにてポンプ機構を作動させることで内容物の効率的な噴出を可能にしている（例えば特許文献１参照）。
【０００３】
【特許文献１】特開平１０−１２８１８０号公報
【０００４】
ところで、従来の液体噴出器は、容器に充填されている液体の粘度にもよるが、そのほとんどが操作レバーを牽曳する際に比較的大きな力を必要とし、より小さな力でもって液体を円滑に噴射させることができる操作性の良好な噴出器の開発が望まれていた。
【発明の開示】
【発明が解決しようとする課題】
【０００５】
本発明の課題は、内部構造の複雑化を招くことなしにより小さな力（牽曳力）でもって液体を噴出させることができる操作性の改善されたトリガー式液体噴出器を提案するところにある。
【課題を解決するための手段】
【０００６】
本発明は、操作レバーを繰返し牽曳して容器内の液体を吸引、加圧するポンプと、このポンプによって加圧された内容物を噴射ノズルに向けて送給する送給経路を有するボディと、このボディの送給経路の出側端で往復移動可能に弾性支持され規定圧力を超える開放動作で該噴射ノズルを通して液体を外界に向けて噴出させる弁体とを備えたトリガー式液体噴出器であって、
前記送給経路に、その入側端から出側端に沿って延びる少なくとも１本の細溝を有し該送給経路の断面積を小さくして液体の送給量を少なくするスペーサを配置したことを特徴とするトリガー式液体噴出器である。
【０００７】
上記の構成になる噴出器において、前記スペーサは、前記送給経路内に位置するシャフトと、該送給経路の出側端でシャフトの端部に一体連結し前記弁体を移動可能に保持するガイドからなるものとし、前記ボディに、前記ガイドを弁体とともに内側に納めるとともに、噴射ノズルをその先端で支持する連結部と、この連結部の外側に設けられ噴射ノズルの開口部又は凸部に嵌まり込んで噴射ノズルの抜けを防止する凸部又は開口を設けることができる。
【０００８】
また、前記スペーサは、前記送給経路内に位置するシャフトと、該送給経路の出側端でシャフトの端部に一体連結し前記弁体を移動可能に保持するガイドからなるものとし、前記ガイドに、ガイドの本体部分を弁体とともにその内側に納めて噴射ノズルを支持する前側連結部と、この前側連結部と一体になり噴射ノズルを前側連結部とともにボディの外側にて抜け止め係止する後側連結部とを設けることもできる。
【０００９】
さらに、前記弁体にその作動に合わせてその移動空間内の空気を噴射ノズル側に向けて排出する貫通孔を設けるか、あるいは、前記ガイドに前記弁体の作動に合わせてその移動空間内の空気をボディ側に向けて排出する貫通孔を設けることもできる。
【００１０】
さらにまた、本発明では、噴射ノズルの後端部に突き当たる先端を有しボディの全体を覆い隠すシュラウドあるいは噴射ノズルの先端を残して該噴射ノズル及びボディを覆い隠すシュラウドを配置することができる。
【発明の効果】
【００１１】
液体の送給経路内にスペーサを配置して該経路の断面積を小さくすると操作レバーの一回当たりの牽曳に際して送給される液体の量が少なくなり、操作にかかる力は軽減される。
【００１２】
また、該スペーサを配置することでボディ内に存在する空気量が少なくなるので、空気と液体を置換する初期プライミング時に操作レバーの牽曳回数が少なくてすむ。
【発明を実施するための最良の形態】
【００１３】
以下、図面を参照して本発明をより具体的に説明する。
図１は本発明にしたがうトリガー式液体噴出器の実施の形態を示したものである。同図における１は枢支軸を介して揺動可能に保持される操作レバー、２は操作レバー１を繰返し牽曳して容器内の液体を吸引、加圧するポンプである。
【００１４】
ポンプ２はシリンダー２ａとこのシリンダー２ａ内で往復移動可能としたピストン２ｂからなる。
【００１５】
また、３は噴出器の基本的な骨格をなすボディであり、このボディ３にはポンプ２によって加圧された液体を噴射ノズルｎに向けて送給する送給経路３ａが設けられている。
【００１６】
４はボディ３の送給経路３ａの出側端でスプリングＳを介して弾性支持され規定圧力を超える開放動作で噴射ノズルｎを通して液体を外界へ向けて噴出させる弁体である。この弁体４の前端壁には小孔が形成されており、弁体４の作動に合わせて移動空間ｔ内の空気が小孔を通して速やかに排出されるためエアークッション現象を起こすことがなく、操作レバー１の作動がスムーズになる。
【００１７】
５は送給経路３ａに配置され、その断面積を小さくして液体の送給量を少なくするスペーサである。このスペーサ５は送給経路３ａの入側端３ａ１から出側端３ａ２に沿って延びる細溝ｍ１、ｍ２を有するシャフト５ａ（スプライン軸のようなもの）と、送給経路３ａの出側端３ａ２でシャフト５ａの端部に一体連結して弁体４を移動可能に保持するガイド５ｂからなっている。なお、細溝ｍ１、ｍ２は必ずしも２本で構成されるものではなく、少なくとも１本以上あればよいものであり、その本数は適宜選択可能である。
【００１８】
さらに、６はボディ３に一体的に設けられガイド５ｂを弁体４とともに内側に納めるとともに、噴射ノズルｎをその先端で支持する連結部、７は連結部６の外側に設けられ噴射ノズルｎの外壁ｎ１に形成された開口ｈに嵌まり込んで該噴射ノズルｎの抜けを防止する凸部、８は噴射ノズルｎの後端部に突き当たる先端を有しボディ３の全体を覆い隠すシュラウドである。
【００１９】
容器内の液体を吸引する吸引管９、逆止弁１０を通してシリンダー２ａに吸引された液体を、操作レバー１のさらなる牽曳にて加圧、圧縮すると、該液体はボディ３の送給経路３ａに存在する細溝ｍ１、ｍ２をとおり弁体５へと流れ込み、ここで規定圧力（スプリングＳの弾性力を超える圧力）よりも高い圧力になることで弁体５が噴射のズルｎの背面で形成される弁座ｖから離反（開放状態）し、かかる液体は噴射ノズルｎから外界に向けて噴出されることになる。
【００２０】
上記の構成になる液体噴出器は、加圧、圧縮された液体がスペーサ５の細溝ｍ１、ｍ２を通して送給されるので、液体の送給量は少なく、これがため操作レバー１を牽曳する力は小さくてすみ快適な操作が行える。
【００２１】
スペーサ５はシャフト５ａと弁体４を保持するガイド５ｂの一体物からなっており部品点数が増えることがないうえ、空気が入り込む内部空間が少ないので初期プライミングにおける牽曳回数が少なくてすみ、液体の迅速な噴出が可能となる（立ち上がりが早い）。
【００２２】
図２は本発明にしたがう噴出器の他の実施の形態を示したものである。
この例は、スペーサ５がシャフト５ａとガイド５ｂからなるが、ガイド５ｂにはさらにガイド５ｂの本体部分を弁体４とともにその内側に納めて噴射ノズルｎを支持する前側連結部５ｃと、この前側連結部５ｃと一体になり、噴射ノズルｎを前側連結部５ｃとともにボディ３の外側にて抜け止め係止する後側連結部５ｄと、弁体４の作動（移動）に合わせてその移動空間ｔ内の空気をボディ側に向けて排出する貫通孔５ｅが設けられている。
【００２３】
この噴出器も、上掲図１に示したものと同様の要領で液体を噴出させることができるもので、図１に示した噴出器の弁体４の前端壁に設けた小孔に代えてガイド５ｂに貫通孔５ｅを形成することで前述の実施例と同様に、弁体４のｄ作動に合わせて移動空間ｔ内の空気が貫通孔５ｅを通して速やかに排出されるためエアークッション現象を起こすことがなく、操作レバー１の作動がスムーズになる。
【００２４】
後側連結部５ｄをボディ３に抜け止め係止するには、図示の如く後側連結部５ｄに開口を形成しておき、この開口にボディ３の外側に設けた凸部７を係合させればよいが、後側連結部５ｄに凸部を設け、この凸部が係合する開口をボディ３に設けてもよく、この点についてはとくに限定されない。
【００２５】
図３（ａ）（ｂ）は本発明にしたがう液体噴出器のさらに他の実施の形態を示したものである。
【００２６】
この例は、内部構造については基本的に図１に示したものと共通するもので、シュラウド８のみが異なる。
【００２７】
かかるシュラウド８は、噴射ノズルｎの先端を残して該噴射ノズルｎ及びボディ３を覆い隠すことができるようにその先端部が延長されており、これにより噴射ノズルｎ及びボディ３への水分や塵等の侵入を確実に防止する。
【産業上の利用可能性】
【００２８】
初期プライミングの回数が少なくてすみ、僅かな力で牽曳するだけで液体をスムーズに噴出させることができる操作性のよいトリガー式液体噴出器が提供できる。
【図面の簡単な説明】
【００２９】
【図１】本発明にしたがうトリガー式液体噴出器の実施の形態を示した図である。
【図２】本発明にしたがうトリガー式液体噴出器の他の実施の形態を示した図である。
【図３】（ａ）（ｂ）は本発明にしたがうトリガー式液体噴出器のさらに他の実施の形態を示した図である。
【符号の説明】
【００３０】
１  操作レバー
２  ポンプ
２ａ  シリンダー
２ｂ  ピストン
３  ボディ
４  弁体
５  スペーサ
５ａ  シャフト
５ｂ  ガイド
５ｃ  前側連結部
５ｄ  後側連結部
５ｅ  貫通孔
６  連結部
７  凸部
８  シュラウド
９  吸引管
１０  逆止弁
ｎ  噴射ノズル
Ｓ  スプリング
ｔ  移動空間
ｖ  弁座
【図１】
2005296701.tif 000003
【図２】
2005296701.tif 000004
【図３】
2005296701.tif 000005